(57)【要約】【課題】視聴者による映像の視聴を妨げることを抑制しつつ、表示パネルの焼き付きを減少させることができる表示装置を提供する。【解決手段】表示装置１０は、表示パネル１３の第１アスペクト比とは異なる第２アスペクト比を有する映像が表示される第１表示領域１３ａと当該映像が表示されない第２表示領域１３ｂとを有する表示パネル１３と、第２アスペクト比を有する映像が表示パネル１３に表示されるときに、（i）第２表示領域１３ｂに光を照射するための第２光源２４を消灯し、かつ、（ii）第２表示領域１３ｂにおける表示パネル１３の透過特性を変化させる制御部３０と、第１表示領域１３ａおよび第２表示領域１３ｂの境界に沿って配置され、反射シート１６および第１表示領域１３ａの間に形成された第１空間１８ａから、反射シート１６および第２表示領域１３ｂの間に形成された第２空間１８ｂへの光を遮る遮光部材１７とを備える。【選択図】図３
2015225239.tif 000002
【特許請求の範囲】
【請求項１】
第１アスペクト比を有する表示パネルであって、前記第１アスペクト比とは異なる第２アスペクト比を有する映像が表示されるときに、当該映像が表示される第１表示領域と当該映像が表示されない第２表示領域とを有する表示パネルと、
前記表示パネルの後方から前記第１表示領域および前記第２表示領域に光をそれぞれ照射するための第１光源および第２光源を含む光源ユニットと、
前記第２アスペクト比を有する映像が前記表示パネルに表示されるときに、（i）前記第２光源を消灯し、かつ、（ii）前記第２表示領域における前記表示パネルの透過特性を変化させる制御部と、
前記表示パネルの後方に配置され、前記光源ユニットからの光を反射する反射シートと、
前記第１表示領域および前記第２表示領域の境界に沿って配置され、前記反射シートおよび前記第１表示領域の間に形成された第１空間から、前記反射シートおよび前記第２表示領域の間に形成された第２空間への光を遮る遮光部材とを備える
表示装置。
【請求項２】
前記光源ユニットは、さらに、前記表示パネルの背面側に配置される長尺状の基板を含み、
前記基板は、前記遮光部材を横切って、前記第１空間および前記第２空間にわたって配置され、
前記第１光源は、前記基板上の前記第１空間側に配置され、
前記第２光源は、前記基板上の前記第２空間側に配置される
請求項１に記載の表示装置。
【請求項３】
前記第１光源および前記第２光源は、電気的に直列に接続され、
前記表示装置は、さらに、
前記第１光源および前記第２光源に電力を供給するための第１経路と、前記第２光源を迂回して前記第１光源に電力を供給するための第２経路とを切り替えるスイッチを備え、
前記制御部は、前記第２アスペクト比を有する映像が前記表示パネルに表示されるときに、前記スイッチを前記第２経路に切り替えることにより前記第２光源を消灯する
請求項２に記載の表示装置。
【請求項４】
前記光源ユニットは、さらに、
前記第１空間に配置される第１基板と、
前記第２空間に配置される第２基板とを含み、
前記第１光源は、前記第１基板上に配置され、
前記第２光源は、前記第２基板上に配置される
請求項１に記載の表示装置。
【請求項５】
前記遮光部材は、前記反射シートと一体に形成されている
請求項１〜４のいずれか１項に記載の表示装置。
【請求項６】
前記制御部は、前記第２アスペクト比を有する映像が前記表示パネルに表示されるときに、少なくとも１つのカラー画像を含む複数の画像を切り替えながら表示するための透過特性のパターンに基づいて、前記第２表示領域における前記表示パネルの透過特性を変化させる
請求項１〜５のいずれか１項に記載の表示装置。
【発明の詳細な説明】
【技術分野】
【０００１】
本発明は、画像を表示するための表示装置に関する。
【背景技術】
【０００２】
画像を表示するための表示装置として、例えば液晶ディスプレイが知られている。液晶ディスプレイでは、長時間同じ画像が表示された後に他の画像を表示しても、長時間表示されていた画像が薄く表示され続けることがある。このように薄く表示された画像は、ゴーストイメージと呼ばれる。また、ゴーストイメージが表示される現象は、焼き付きと呼ばれる。
【０００３】
このような焼き付きが発生しやすいケースとして、液晶パネルのアスペクト比と異なるアスペクト比を有する映像が表示されるケースがある。例えば、１６：９のアスペクト比を有する液晶パネルに、４：３のアスペクト比を有する映像が表示される場合、当該映像が表示される領域（第１表示領域）の右側および左側に隣接する領域（第２表示領域）の各々に黒帯と呼ばれる黒画像が表示され続ける。黒画像が表示され続けている間、第２表示領域における表示パネルの透過特性は変化しない。その結果、黒画像が表示され続けた第２表示領域で焼き付きが発生する。
【０００４】
特許文献１には、このような液晶パネルの焼き付きを減少させるために、所定の条件を満たす場合に、第２表示領域に表示する画像を黒画像からグレー画像に変化させることが開示されている。
【先行技術文献】
【特許文献】
【０００５】
【特許文献１】特開２０１１−０８１１７８号公報
【発明の概要】
【発明が解決しようとする課題】
【０００６】
しかしながら、従来技術では、映像が表示されている第１表示領域に隣接する第２表示領域に表示される画像が変化するため、視聴者による映像の視聴を妨げてしまう。
【０００７】
そこで、本発明は、視聴者による映像の視聴を妨げることを抑制しつつ、表示パネルの焼き付きを減少させることができる表示装置を提供する。
【課題を解決するための手段】
【０００８】
本発明の一態様に係る表示装置は、第１アスペクト比を有する表示パネルであって、前記第１アスペクト比とは異なる第２アスペクト比を有する映像が表示されるときに、当該映像が表示される第１表示領域と当該映像が表示されない第２表示領域とを有する表示パネルと、前記表示パネルの後方から前記第１表示領域および前記第２表示領域に光をそれぞれ照射するための第１光源および第２光源を含む光源ユニットと、前記第２アスペクト比を有する映像が前記表示パネルに表示されるときに、（i）前記第２光源を消灯し、かつ、（ii）前記第２表示領域における前記表示パネルの透過特性を変化させる制御部と、前記表示パネルの後方に配置され、前記光源ユニットからの光を反射する反射シートと、前記第１表示領域および前記第２表示領域の境界に沿って配置され、前記反射シートおよび前記第１表示領域の間に形成された第１空間から、前記反射シートおよび前記第２表示領域の間に形成された第２空間への光を遮る遮光部材とを備える。
【０００９】
この構成によれば、第２アスペクト比を有する映像が表示パネルに表示されるときに、（i）第２表示領域に光を照射するための第２光源を消灯し、かつ、（ii）第２表示領域における表示パネルの透過特性を変化させることができる。つまり、第２光源が消灯されている間に、表示パネルの焼き付きを防止するために透過特性を変化させることができる。したがって、第２表示領域における表示パネルの透過特性の変化が視聴者に視覚されることを抑制することができる。つまり、視聴者による映像の視聴を妨げることを抑制しつつ、表示パネルの焼き付きを減少させることができる。
【００１０】
さらに、この構成によれば、第１空間から第２空間への光を遮ることができる。したがって、第１光源から発せられた光が第２表示領域に到達することを防ぐことができる。つまり、第２表示領域において表示パネルの透過特性を変化させている間に、第１光源の光が表示パネルの後方から第２表示領域に照射されることを防ぐことができる。したがって、第２表示領域における表示パネルの透過特性の変化が視聴者に視覚されることをさらに抑制することができる。つまり、視聴者による映像の視聴を妨げることをさらに抑制することができる。
【００１１】
例えば、前記光源ユニットは、さらに、前記表示パネルの背面側に配置される長尺状の基板を含み、前記基板は、前記遮光部材を横切って、前記第１空間および前記第２空間にわたって配置され、前記第１光源は、前記基板上の前記第１空間側に配置され、前記第２光源は、前記基板上の前記第２空間側に配置されてもよい。
【００１２】
この構成によれば、遮光部材を横切って配置された長尺状の基板上の第１空間側に第１光源が配置され、当該基板上の第２空間側に第２光源が配置される。つまり、１本の長尺状の基板上に第１光源および第２光源の両方を配置することができ、光源ユニットの部品構成を簡易にすることができる。
【００１３】
例えば、前記第１光源および前記第２光源は、電気的に直列に接続され、前記表示装置は、さらに、前記第１光源および前記第２光源に電力を供給するための第１経路と、前記第２光源を迂回して前記第１光源に電力を供給するための第２経路とを切り替えるスイッチを備え、前記制御部は、前記第２アスペクト比を有する映像が前記表示パネルに表示されるときに、前記スイッチを前記第２経路に切り替えることにより前記第２光源を消灯してもよい。
【００１４】
この構成によれば、第１光源および第２光源に電力を供給するための第１経路と、第２光源を迂回して第１光源に電力を供給するための第２経路とを切り替えるスイッチを備えることができる。したがって、電気的に直列に接続された第１光源および第２光源のうち第１光源のみに電力を供給することが可能となる。
【００１５】
また、このようなスイッチは、例えば、基板外に配置することも可能である。例えば、第１光源および第２光源がＬＥＤ（Ｌｉｇｈｔ  Ｅｍｉｔｔｉｎｇ  Ｄｉｏｄｅ）である場合、熱伝導性が高い高価な部材が基板に用いられることが多い。したがって、基板外にスイッチが配置されれば、基板の面積の増加を抑制することができ、表示装置の製造コストを削減することができる。また、第１光源および第２光源からの光がスイッチに遮られることを防ぐこともできる。
【００１６】
例えば、前記光源ユニットは、さらに、前記第１空間に配置される第１基板と、前記第２空間に配置される第２基板とを含み、前記第１光源は、前記第１基板上に配置され、前記第２光源は、前記第２基板上に配置されてもよい。
【００１７】
この構成によれば、第１光源と第２光源とを異なる基板（第１基板および第２基板）に配置することができる。したがって、焼き付き防止処理のための電力の供給／非供給を基板ごとに切り替えることができる。つまり、焼き付き防止処理のための配線および制御を簡易にすることが可能となる。
【００１８】
例えば、前記遮光部材は、前記反射シートと一体に形成されてもよい。
【００１９】
この構成によれば、遮光部材を反射シートと一体に形成することができる。したがって、部品点数を削減することができる。さらに、第１光源および第２光源から発せられた光を効率的に第１表示領域および第２表示領域に照射することができる。
【００２０】
例えば、前記制御部は、前記第２アスペクト比を有する映像が前記表示パネルに表示されるときに、少なくとも１つのカラー画像を含む複数の画像を切り替えながら表示するための透過特性のパターンに基づいて、前記第２表示領域における前記表示パネルの透過特性を変化させてもよい。
【００２１】
この構成によれば、少なくとも１つのカラー画像を含む複数の画像を切り替えながら表示するための透過特性のパターンに基づいて、第２表示領域における表示パネルの透過特性を変化させることができる。したがって、複数の色（例えば、赤、緑および青）を有する複数の画素の各々の透過特性を独立して変化させることができる。したがって、グレー画像を表示する場合のように複数の画素の透過特性を一律に変化させるよりもより効果的に表示パネルの焼き付きを抑制することができる。
【発明の効果】
【００２２】
本発明の一態様に係る表示装置は、視聴者による映像の視聴を妨げることを抑制しつつ、表示パネルの焼き付きを減少させることができる。
【図面の簡単な説明】
【００２３】
【図１】実施の形態１に係る表示装置の外観を示す斜視図である。
【図２】実施の形態１に係る表示装置の分解斜視図である。
【図３】実施の形態１に係る表示装置の内部構造を示す正面図である。
【図４】実施の形態１に係る表示装置の断面図である。
【図５】実施の形態１に係る表示装置の機能構成を示すブロック図である。
【図６】実施の形態１に係る表示装置の動作を説明するための表示装置の正面図である。
【図７】実施の形態１に係る表示装置の動作を説明するための表示装置のブロック図である。
【図８】実施の形態２に係る表示装置の内部構造を示す正面図である。
【図９】実施の形態３に係る表示装置の内部構造を示す正面図である。
【図１０】実施の形態４に係る表示装置の内部構造を示す正面図である。
【図１１】実施の形態４に係る表示装置の断面図である。
【発明を実施するための形態】
【００２４】
以下、実施の形態について、図面を参照しながら具体的に説明する。
【００２５】
なお、以下で説明する実施の形態は、いずれも包括的または具体的な例を示すものである。以下の実施の形態で示される数値、形状、材料、構成要素、構成要素の配置位置および接続形態などは、一例であり、請求の範囲を限定する主旨ではない。また、以下の実施の形態における構成要素のうち、独立請求項に記載されていない構成要素については、任意の構成要素として説明される。
【００２６】
（実施の形態１）
以下に、実施の形態１に係る表示装置について説明する。本実施の形態に係る表示装置は、映像が表示されない第２表示領域に対応する第２光源を消灯して、焼き付きを減少させるための処理を表示パネルに行う。さらに、本実施の形態に係る表示装置は、第１光源から発せられた光が第２表示領域に到達することを防ぐために、第１表示領域および第２表示領域の境界に沿って配置された遮光部材を備える。
【００２７】
なお、以下の説明において、画面の水平方向をＸ軸で表し、垂直方向をＹ軸で表し、奥行方向をＺ軸で表す。
【００２８】
［表示装置の構造］
まず、表示装置の構造について説明する。
【００２９】
図１は、実施の形態１に係る表示装置の外観を示す斜視図である。図２は、実施の形態１に係る表示装置の分解斜視図である。
【００３０】
本実施の形態に係る表示装置１０は、例えば、液晶ディスプレイである。表示装置１０は、フロントキャビネット１１と、リアフレーム１２と、表示パネル１３と、反射シート１６と、遮光部材１７と、光源ユニット２０とを備える。
【００３１】
フロントキャビネット１１は、表示パネル１３の前面の外周部を覆う矩形状の枠体である。フロントキャビネット１１は、例えば樹脂製である。
【００３２】
前面とは、映像および画像が表示される側の面である。つまり、前面とは、Ｚ軸の正の方向（前方）側の面である。
【００３３】
リアフレーム１２は、表示パネル１３の背面を覆う。リアフレーム１２は、例えば、電気亜鉛メッキ鋼（ＳＥＣＣ：Ｓｔｅｅｌ  Ｅｌｅｃｔｒｉｃａｌｌｙ  Ｃｈｒｏｍａｔｅ  Ｃｏａｔｅｄ）の板金をプレス成形することにより製造される。
【００３４】
背面とは、前面と反対側の面である。つまり、背面とは、Ｚ軸の負の方向（後方）側の面である。
【００３５】
図２に示すように、フロントキャビネット１１およびリアフレーム１２の間に、表示パネル１３と、反射シート１６と、遮光部材１７と、光源ユニット２０とが配置される。
【００３６】
表示パネル１３は、背面から入射した光が前面に出射するときの透過特性を局所領域ごとに変化させることにより映像および画像を表示する。具体的には、表示パネル１３は、例えば、マトリックス状に配列された複数の色（例えば、赤、緑および青）の複数の画素を含む。
【００３７】
また、表示パネル１３は、第１アスペクト比を有する。つまり、表示パネル１３は、第１アスペクト比を有する画面を備える。アスペクト比とは、２次元形状の物の長辺と短辺との比率を示す。ここでは、アスペクト比は、表示パネル１３上の表示領域の、水平方向の長さと垂直方向の長さとの比率を示す。
【００３８】
本実施の形態では、表示パネル１３が、１６：９のアスペクト比を有する液晶パネルである場合について説明する。この場合、表示パネル１３は、例えば、液晶層、カラーフィルタ、透明電極、偏光フィルタおよび拡散板などを含む。
【００３９】
反射シート１６は、表示パネル１３の後方に配置される。ここでは、反射シート１６は、リアフレーム１２の内面を覆うようにして配置されている。また、反射シート１６は、光源ユニット２０からの光を表示パネル１３の背面に向けて反射する。反射シート１６は、例えばアクリル樹脂製である。
【００４０】
遮光部材１７は、表示パネル１３と反射シート１６との間に形成された空間を左右に分割する。この遮光部材１７の詳細は、図３および図４を用いて後述する。
【００４１】
光源ユニット２０は、表示パネル１３の背面に光を照射する。本実施の形態では、光源ユニット２０は、直下型のバックライトユニットである。
【００４２】
次に、表示装置の内部構造の詳細について説明する。
【００４３】
図３は、実施の形態１に係る表示装置の内部構造を示す正面図である。図３では、表示装置１０の内部構造を表すために、フロントキャビネット１１および表示パネル１３が取り外された状態の表示装置１０が表わされている。
【００４４】
また、図４は、実施の形態１に係る表示装置の断面図である。具体的には、図４は、図３中のＡ−Ａ線における、フロントキャビネット１１および表示パネル１３が取り付けられた状態の表示装置１０の断面図である。
【００４５】
図４に示すように、表示パネル１３は、第１アスペクト比とは異なる第２アスペクト比を有する映像が表示されるときに、当該映像が表示される第１表示領域１３ａと当該映像が表示されない第２表示領域１３ｂとを有する。なお、第１アスペクト比を有する映像が表示されるときには、当該映像は、第１表示領域１３ａおよび第２表示領域１３ｂにわたって表示される。
【００４６】
ここでは、第１アスペクト比が１６：９であり、第２アスペクト比が４：３である場合が図示されている。この場合、第１表示領域１３ａおよび第２表示領域１３ｂは、水平方向に並んで配置される。
【００４７】
遮光部材１７は、第１表示領域１３ａと第２表示領域１３ｂとの境界に沿って配置される。そして、遮光部材１７は、反射シート１６および第１表示領域１３ａの間に形成された第１空間１８ａから、反射シート１６および第２表示領域１３ｂの間に形成された第２空間１８ｂへの光を遮る。つまり、遮光部材１７は、遮光性を有し、反射シート１６と表示パネル１３との間に形成された空間を左右に分割する。言い換えると、遮光部材１７は、第１光源（後述する第１ＬＥＤ２３）からの光の光路と第２光源（後述する第２ＬＥＤ２４）からの光の光路とを、光学的および物理的に分割する。
【００４８】
本実施の形態では、遮光部材１７は、反射シート１６と一体に形成されている。具体的には、遮光部材１７は、反射シート１６の一部分をＶ字形に折り曲げて形成されている。この場合、遮光部材１７は、光を反射することにより、第１空間１８ａから第２空間１８ｂへの光を遮る。
【００４９】
光源ユニット２０は、３本のＬＥＤバー２１を含む。ＬＥＤバー２１の各々は、長尺状の基板２２と、第１ＬＥＤ２３と、第２ＬＥＤ２４とを含む。
【００５０】
基板２２は、表示パネル１３の背面側（後方）に配置される。基板２２は、放熱性および熱伝導性が高い材料（例えばアルミニウム）からなる。
【００５１】
また、基板２２は、遮光部材１７を横切って、第１空間１８ａおよび第２空間１８ｂにわたって配置される。本実施の形態では、基板２２は、垂直方向に延びる遮光部材１７を貫通して水平方向に延びている。
【００５２】
第１ＬＥＤ２３は、表示パネル１３の後方から第１表示領域１３ａに光を照射するための第１光源の一例である。第１ＬＥＤ２３は、基板２２上の第１空間１８ａ側に配置され、表示パネル１３の後方から第１表示領域１３ａに光を照射する。本実施の形態では、第１ＬＥＤ２３は、水平方向における基板２２の中央部に配置される。
【００５３】
第２ＬＥＤ２４は、表示パネル１３の後方から第２表示領域１３ｂに光を照射するための第２光源の一例である。第２ＬＥＤ２４は、基板２２上の第２空間１８ｂ側に配置され、表示パネル１３の後方から第２表示領域１３ｂに光を照射する。ここでは、第２ＬＥＤ２４は、水平方向における基板２２の端部に配置される。
【００５４】
第１ＬＥＤ２３および第２ＬＥＤ２４は、電気的に直列に接続されている。本実施の形態では、第２ＬＥＤ２４の間に、第１ＬＥＤ２３が接続されている。つまり、基本的に、ＬＥＤバー２１の単位で点灯および消灯が制御される。ただし、本実施の形態では、第１ＬＥＤ２３が点灯しているときに第２ＬＥＤ２４を消灯することができる。
【００５５】
［表示装置の機能構成］
次に、表示装置１０の機能構成について説明する。
【００５６】
図５は、実施の形態１に係る表示装置の機能構成を示すブロック図である。ここでは、説明が必要以上に複雑になることを避けるために、表示装置１０の一部の機能のみを示している。
【００５７】
図５に示すように、表示装置１０は、制御部３０と、駆動源３１と、スイッチ３２とを備える。
【００５８】
制御部３０は、駆動源３１、スイッチ３２および表示パネル１３をそれぞれ制御する。具体的には、制御部３０は、第１アスペクト比と異なる第２アスペクト比を有する映像が表示パネル１３に表示されるときに、（i）第２ＬＥＤ２４を消灯し、かつ、（ii）第２表示領域１３ｂにおける表示パネル１３の透過特性を変化させる。
【００５９】
駆動源３１は、光源ユニット２０を駆動する。つまり、駆動源３１は、光源ユニット２０に電力を供給する。
【００６０】
スイッチ３２は、第１ＬＥＤ２３および第２ＬＥＤ２４に電力を供給するための第１経路と、第２ＬＥＤ２４を迂回して第１ＬＥＤ２３に電力を供給するための第２経路とを切り替える。ここでは、スイッチ３２は、基板２２の外部に配置されている。
【００６１】
具体的には、スイッチ３２は、第１端子３２ａ、第２端子３２ｂおよび第３端子３２ｃを有する。第１端子３２ａは、駆動源３１に接続されている。第２端子３２ｂは、第２ＬＥＤ２４の一方の端子に接続されている。第３端子３２ｃは、第２ＬＥＤ２４の他方の端子に接続されている。つまり、第３端子３２ｃは、第１ＬＥＤ２３と第２ＬＥＤ２４との間の端子に接続されている。
【００６２】
したがって、第１端子３２ａと第２端子３２ｂとが導通すれば、第１経路に電流が流れ、第１ＬＥＤ２３および第２ＬＥＤ２４の両方が発光する。また、第１端子３２ａと第３端子３２ｃとが導通すれば、第２経路に電流が流れ、第１ＬＥＤ２３が発光し、第２ＬＥＤ２４が発光しない。
【００６３】
［表示装置の動作］
次に、以上のように構成された表示装置の動作について説明する。
【００６４】
図６は、実施の形態１に係る表示装置の動作を説明するための表示装置の正面図である。図７は、実施の形態１に係る表示装置の動作を説明するための表示装置のブロック図である。図６および図７において、（ａ）は、第１アスペクト比の第１映像が表示されている状態を示し、（ｂ）は、第２アスペクト比の第２映像が表示されている状態を示す。
【００６５】
制御部３０は、第２アスペクト比の第２映像が表示パネル１３に表示されるか否かを判定する。例えば、第２アスペクト比の第２映像を含む放送信号を受信した場合に、第２アスペクト比の第２映像が表示パネル１３に表示されると判定する。なお、放送信号に含まれる映像に時間的に変化しない画像が含まれている場合には、制御部３０は、当該画像が取り除かれた映像のアスペクト比が第２アスペクト比であるか否かを判定してもよい。
【００６６】
ここで、図６の（ａ）に示すように、第１アスペクト比の第１映像が表示パネル１３に表示される場合、制御部３０は、表示パネル１３の表示領域の全体（第１表示領域１３ａおよび第２表示領域１３ｂ）に第１映像を表示する。このとき、制御部３０は、図７の（ａ）に示すように、スイッチ３２の第１端子３２ａと第２端子３２ｂとを導通する。つまり、制御部３０は、スイッチ３２を制御して第１経路３４ａに電流を流し、第１ＬＥＤ２３および第２ＬＥＤ２４を点灯する。
【００６７】
一方、図６の（ｂ）に示すように、第２アスペクト比の第２映像が表示パネル１３に表示される場合、制御部３０は、表示パネル１３の第１表示領域に第２映像を表示する。このとき、制御部３０は、図７の（ｂ）に示すように、スイッチ３２の第１端子３２ａと第３端子３２ｃとを導通する。つまり、制御部３０は、スイッチ３２を制御して第２経路３４ｂに電流を流し、第１ＬＥＤ２３および第２ＬＥＤ２４のうち第１ＬＥＤ２３のみを点灯する。
【００６８】
さらに、第２アスペクト比の第２映像が表示パネル１３に表示される場合、制御部３０は、第２表示領域１３ｂにおける表示パネル１３の透過特性を変化させる。つまり、制御部３０は、第２アスペクト比の第２映像が表示パネル１３に表示されている間、継続的または断続的に第２表示領域１３ｂにおける表示パネル１３の透過特性を変化させる。言い換えると、制御部３０は、第２アスペクト比の第２映像が表示パネル１３に表示されている間、継続的または断続的に第２表示領域１３ｂに含まれる画素に掛ける電圧を時間とともに変化させる。
【００６９】
具体的には、制御部３０は、例えば、少なくとも１つのカラー画像を含む複数の画像を切り替えながら表示するための透過特性のパターンに基づいて、第２表示領域１３ｂにおける表示パネル１３の透過特性を変化させる。つまり、制御部３０は、表示パネル１３を構成する複数の色（例えば、赤、緑および青）を有する複数の画素の各々の透過特性を独立して変化させる。ただし、このように表示パネル１３の透過特性が変化されても、第２ＬＥＤ２４が消灯されているので、第２表示領域１３ｂにカラー画像は表示されない。
【００７０】
［効果］
以上のように、本実施の形態に係る表示装置１０によれば、第２アスペクト比を有する映像が表示パネルに表示されるときに、（i）第２表示領域に光を照射するための第２光源を消灯し、かつ、（ii）第２表示領域における表示パネルの透過特性を変化させることができる。つまり、第２光源が消灯されている間に、表示パネルの焼き付きを防止するために透過特性を変化させることができる。したがって、第２表示領域における表示パネルの透過特性の変化が視聴者に視覚されることを抑制することができる。つまり、視聴者による映像の視聴を妨げることを抑制しつつ、表示パネルの焼き付きを減少させることができる。
【００７１】
さらに、本実施の形態に係る表示装置１０によれば、第１空間から第２空間への光を遮ることができる。したがって、第１光源から発せられた光が第２表示領域に到達することを防ぐことができる。つまり、第２表示領域において表示パネルの透過特性を変化させている間に、第１光源の光が表示パネルの後方から第２表示領域に照射されることを防ぐことができる。したがって、第２表示領域における表示パネルの透過特性の変化が視聴者に視覚されることをさらに抑制することができる。つまり、視聴者による映像の視聴を妨げることをさらに抑制することができる。
【００７２】
また、本実施の形態に係る表示装置１０によれば、遮光部材を横切って配置された長尺状の基板上の第１空間側に第１光源が配置され、当該基板上の第２空間側に第２光源が配置される。つまり、１本の長尺状の基板上に第１光源および第２光源の両方を配置することができ、光源ユニットの部品構成を簡易にすることができる。
【００７３】
また、本実施の形態に係る表示装置１０によれば、第１光源および第２光源に電力を供給するための第１経路と、第２光源を迂回して第１光源に電力を供給するための第２経路とを切り替えるスイッチを備えることができる。したがって、電気的に直列に接続された第１光源および第２光源のうち第１光源のみに電力を供給することが可能となる。
【００７４】
また、このようなスイッチは、例えば、基板外に配置することも可能である。第１光源および第２光源がＬＥＤである場合、熱伝導性が高い高価な部材が基板に用いられることが多い。したがって、基板外にスイッチが配置されれば、基板の面積の増加を抑制することができ、表示装置の製造コストを削減することができる。また、第１光源および第２光源からの光がスイッチに遮られることを防ぐこともできる。
【００７５】
また、本実施の形態に係る表示装置１０によれば、遮光部材を反射シートと一体に形成することができる。したがって、部品点数を削減することができる。さらに、第１光源および第２光源から発せられた光を効率的に第１表示領域および第２表示領域に照射することができる。
【００７６】
また、本実施の形態に係る表示装置１０によれば、少なくとも１つのカラー画像を含む複数の画像を切り替えながら表示するための透過特性のパターンに基づいて、第２表示領域における表示パネルの透過特性を変化させることができる。したがって、複数の色（例えば、赤、緑および青）を有する複数の画素の各々の透過特性を独立して変化させることができる。したがって、グレー画像を表示する場合のように複数の画素の透過特性を一律に変化させるよりもより効果的に表示パネルの焼き付きを抑制することができる。
【００７７】
（実施の形態２）
次に、実施の形態２について説明する。本実施の形態では、光源ユニットの構成が実施の形態１と異なる。具体的には、本実施の形態では、光源ユニットは、第１表示領域を照射するためのＬＥＤバーと、第２表示領域を照射するためのＬＥＤバーとを別々に有する。
【００７８】
以下に、本実施の形態に係る表示装置について、実施の形態１と異なる点を中心に説明する。
【００７９】
図８は、実施の形態２に係る表示装置の内部構造を示す正面図である。図８に示すように、表示装置１０Ａは、リアフレーム１２と、反射シート１６と、光源ユニット２０Ａとを備える。光源ユニット２０Ａは、第１ＬＥＤバー２１Ａと、第２ＬＥＤバー２５Ａとを備える。
【００８０】
第１ＬＥＤバー２１Ａは、第１表示領域１３ａに光を照射するためのＬＥＤバーである。第１ＬＥＤバー２１Ａの各々は、長尺状の第１基板２２Ａと、第１ＬＥＤ２３Ａとを含む。本実施の形態では、第１基板２２Ａは、水平方向に延びている。
【００８１】
第１ＬＥＤ２３Ａは、表示パネル１３の後方から第１表示領域１３ａに光を照射するための第１光源の一例である。第１ＬＥＤ２３Ａは、第１基板２２Ａ上に配置され、表示パネル１３の後方から第１表示領域１３ａに光を照射する。
【００８２】
第２ＬＥＤバー２５Ａは、第２表示領域１３ｂに光を照射するためのＬＥＤバーである。つまり、第２ＬＥＤバー２５Ａは、第２表示領域１３ｂに専用のＬＥＤバーである。第２ＬＥＤバー２５Ａの各々は、長尺状の第２基板２６Ａと、第２ＬＥＤ２４Ａとを含む。本実施の形態では、第２基板２６Ａは、垂直方向に延びている。
【００８３】
第２ＬＥＤ２４Ａは、表示パネル１３の後方から第２表示領域１３ｂに光を照射するための第２光源の一例である。第２ＬＥＤ２４Ａは、第２基板２６Ａ上に配置され、表示パネル１３の後方から第２表示領域１３ｂに光を照射する。
【００８４】
第２ＬＥＤ２４Ａは、第１アスペクト比と異なる第２アスペクト比を有する映像が表示パネル１３に表示されるときに消灯される。つまり、第１アスペクト比と異なる第２アスペクト比を有する映像が表示パネル１３に表示されるときに、第２ＬＥＤバー２５Ａに電力が供給されない。
【００８５】
以上のように、本実施の形態に係る表示装置１０Ａによれば、第１光源と第２光源とを異なる基板（第１基板および第２基板）に配置することができる。したがって、焼き付き防止処理のための電力の供給／非供給を基板ごとに切り替えることができる。つまり、焼き付き防止処理のための配線および制御を簡易にすることが可能となる。
【００８６】
（実施の形態３）
次に、実施の形態３について説明する。本実施の形態では、光源ユニットの構成が実施の形態１と異なる。具体的には、本実施の形態では、光源ユニットは、複数のＬＥＤがマトリックス状に配置されたダイナミックバックライトユニットである。
【００８７】
以下に、本実施の形態に係る表示装置について、実施の形態１と異なる点を中心に説明する。
【００８８】
図９は、実施の形態３に係る表示装置の内部構造を示す正面図である。図９に示すように、表示装置１０Ｂは、リアフレーム１２と、反射シート１６と、光源ユニット２０Ｂとを備える。光源ユニット２０Ｂは、マトリックス状に配置された複数のＬＥＤ（第１ＬＥＤ２３Ｂおよび第２ＬＥＤ２４Ｂ）を備える。
【００８９】
第１ＬＥＤ２３Ｂは、第１表示領域１３ａに光を照射するための第１光源の一例である。第２ＬＥＤ２４Ｂは、第２表示領域１３ｂに光を照射するための第２光源の一例である。
【００９０】
第１ＬＥＤ２３Ｂおよび第２ＬＥＤ２４Ｂは、いくつかのＬＥＤを含むブロック単位、または、１つ１つのＬＥＤ単位で点灯および消灯が制御される。そして、第２ＬＥＤ２４Ｂは、第１アスペクト比と異なる第２アスペクト比を有する映像が表示パネル１３に表示されるときに消灯される。
【００９１】
以上のように、ダイナミックバックライトユニットを有する表示装置１０Ｂにおいても、実施の形態１および２と同様に、視聴者による映像の視聴を妨げることを抑制しつつ、表示パネルの焼き付きを減少させることができる。
【００９２】
（実施の形態４）
次に、実施の形態４について説明する。本実施の形態では、第１表示領域および第２表示領域の配置、ならびに、第１ＬＥＤおよび第２ＬＥＤの配置などが実施の形態１と異なる。具体的には、本実施の形態では、第２表示領域は、表示パネルの第１アスペクト比よりも水平方向の長さの比が大きい第２アスペクト比を有する映像が表示される場合に当該映像が表示されない表示領域である。具体的には、例えば、第１アスペクト比が１６：９であり、第２アスペクト比が２１：９である。したがって、第１表示領域および第２表示領域は、垂直方向に並んで配置される。
【００９３】
以下に、本実施の形態に係る表示装置について、実施の形態１と異なる点を中心に説明する。
【００９４】
図１０は、実施の形態４に係る表示装置の内部構造を示す正面図である。図１１は、実施の形態４に係る表示装置の断面図である。具体的には、図１１は、図１０中のＢ−Ｂ線における表示装置の断面図である。
【００９５】
図１０および図１１に示すように、表示装置１０Ｃは、フロントキャビネット１１と、リアフレーム１２と、表示パネル１３Ｃと、反射シート１６と、遮光部材１７Ｃと、光源ユニット２０Ｃとを備える。
【００９６】
表示パネル１３Ｃは、第１アスペクト比とは異なる第２アスペクト比を有する映像が表示されるときに、当該映像が表示される第１表示領域１３ａＣと当該映像が表示されない第２表示領域１３ｂＣとを有する。なお、第１アスペクト比を有する映像が表示されるときには、当該映像は、第１表示領域１３ａＣおよび第２表示領域１３ｂＣにわたって表示される。
【００９７】
ここでは、第１アスペクト比が１６：９であり、第２アスペクト比が２１：９である場合が図示されている。この場合、第１表示領域１３ａＣおよび第２表示領域１３ｂＣは、垂直方向に並んで配置される。
【００９８】
遮光部材１７Ｃは、第１表示領域１３ａＣと第２表示領域１３ｂＣとの境界に沿って配置される。そして、遮光部材１７Ｃは、反射シート１６および第１表示領域１３ａＣの間に形成された第１空間１８ａＣから、反射シート１６および第２表示領域１３ｂＣの間に形成された第２空間１８ｂＣへの光を遮る。つまり、遮光部材１７Ｃは、遮光性を有し、反射シート１６と表示パネル１３Ｃとの間に形成された空間を上下に分割する。
【００９９】
光源ユニット２０Ｃは、第１ＬＥＤバー２１Ｃと、第２ＬＥＤバー２５Ｃとを備える。
【０１００】
第１ＬＥＤバー２１Ｃは、第１表示領域１３ａＣに光を照射するためのＬＥＤバーである。第１ＬＥＤバー２１Ｃの各々は、長尺状の第１基板２２Ｃと、第１ＬＥＤ２３Ｃとを含む。本実施の形態では、第１基板２２Ｃは、水平方向に延びている。
【０１０１】
第１ＬＥＤ２３Ｃは、表示パネル１３Ｃの後方から第１表示領域１３ａＣに光を照射するための第１光源の一例である。第１ＬＥＤ２３Ｃは、第１基板２２Ｃ上に配置され、表示パネル１３Ｃの後方から第１表示領域１３ａＣに光を照射する。
【０１０２】
第２ＬＥＤバー２５Ｃは、第２表示領域１３ｂＣに光を照射するためのＬＥＤバーである。つまり、第２ＬＥＤバー２５Ｃは、第２表示領域１３ｂＣに専用のＬＥＤバーである。第２ＬＥＤバー２５Ｃの各々は、長尺状の第２基板２６Ｃと、第２ＬＥＤ２４Ｃとを含む。本実施の形態では、第２基板２６Ｃは、水平方向に延びている。
【０１０３】
第２ＬＥＤ２４Ｃは、表示パネル１３Ｃの後方から第２表示領域１３ｂＣに光を照射するための第２光源の一例である。第２ＬＥＤ２４Ｃは、第２基板２６Ｃ上に配置され、表示パネル１３Ｃの後方から第２表示領域１３ｂＣに光を照射する。
【０１０４】
第２ＬＥＤ２４Ｃは、第１アスペクト比と異なる第２アスペクト比を有する映像が表示パネル１３Ｃに表示されるときに消灯される。つまり、第１アスペクト比と異なる第２アスペクト比を有する映像が表示パネル１３Ｃに表示されるときに、第２ＬＥＤバー２５Ｃに電力が供給されない。
【０１０５】
以上のように、本実施の形態に係る表示装置１０Ｃによれば、第１表示領域と第２表示領域とが上下方向に並ぶ場合であっても、実施の形態１および２と同様に、視聴者による映像の視聴を妨げることを抑制しつつ、表示パネルの焼き付きを減少させることができる。
【０１０６】
（他の実施の形態）
以上、本発明の実施の形態に係る表示装置について説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も本発明の範囲内に含まれる。
【０１０７】
例えば、上記実施の形態１に係る表示装置と、上記実施の形態４に係る表示装置とを組合せてもよい。つまり、実施の形態４のように第１表示領域と第２表示領域とが垂直方向にならんでいる場合に、表示装置は、第１ＬＥＤと第２ＬＥＤとを含む、垂直方向に延びるＬＥＤバーを備えてもよい。この場合、第２アスペクト比の映像が表示されるときに、第２ＬＥＤを迂回して第１ＬＥＤに電力が供給されればよい。
【０１０８】
なお、上記各実施の形態において、光源は、ＬＥＤであったが、これに限定されない。例えば、実施の形態２、４において、光源は、ＣＣＦＬ（Ｃｏｌｄ  Ｃａｔｈｏｄｅ  Ｆｌｕｏｒｅｓｃｅｎｔ  Ｌａｍｐ）であってもよい。
【０１０９】
なお、上記各実施の形態において、光源ユニットは、直下型のバックライトであったが、エッジライト型のバックライトであってもよい。この場合、光源ユニットは、導光板を備えればよい。
【０１１０】
なお、上記各実施の形態において、遮光部材は、反射シートと一体に形成されていたが、これに限られない。例えば、遮光部材は、反射シートとは異なる材質の部材であってもよい。つまり、遮光部材は、必ずしも光を反射しなくてもよい。この場合、遮光部材は、反射シート上に接着されてもよい。そして、反射シートと遮光部材との間にＬＥＤバーの基板が配置されてもよい。つまり、ＬＥＤバーの基板は、遮光部材を貫通しなくてもよい。
【０１１１】
なお、上記各実施の形態において、遮光部材は、Ｖ字形状を有していたが、必ずしもこの形状を有する必要はない。例えば、遮光部材は、Ｉ字形状を有してもよい。つまり、遮光部材の形状は、第１空間から第２空間への光を遮ることができれば、どのような形状であってもよい。
【０１１２】
なお、上記各実施の形態において、表示パネルの第１アスペクト比が１６：９の場合について説明したが、第１アスペクト比は１６：９でなくてもよい。例えば、第１アスペクト比は２５：９であってもよい。また例えば、第１アスペクト比は４：３であってもよい。
【産業上の利用可能性】
【０１１３】
本発明の一態様に係る表示装置は、例えば、液晶ディスプレイ、液晶テレビジョン受像機等として利用することができる。
【符号の説明】
【０１１４】
１０、１０Ａ、１０Ｂ、１０Ｃ  表示装置
１１  フロントキャビネット
１２  リアフレーム
１３、１３Ｃ  表示パネル
１３ａ、１３ａＣ  第１表示領域
１３ｂ、１３ｂＣ  第２表示領域
１６  反射シート
１７、１７Ｃ  遮光部材
１８ａ、１８ａＣ  第１空間
１８ｂ、１８ｂＣ  第２空間
２０、２０Ａ、２０Ｂ、２０Ｃ  光源ユニット
２１  ＬＥＤバー
２１Ａ、２１Ｃ  第１ＬＥＤバー
２２  基板
２２Ａ、２２Ｃ  第１基板
２３、２３Ａ、２３Ｂ、２３Ｃ  第１ＬＥＤ（第１光源）
２４、２４Ａ、２４Ｂ、２４Ｃ  第２ＬＥＤ（第２光源）
２５Ａ、２５Ｃ  第２ＬＥＤバー
２６Ａ、２６Ｃ  第２基板
３０  制御部
３１  駆動源
３２  スイッチ
３２ａ  第１端子
３２ｂ  第２端子
３２ｃ  第３端子
３４ａ  第１経路
３４ｂ  第２経路
【図１】
2015225239.tif 000003
【図２】
2015225239.tif 000004
【図３】
2015225239.tif 000005
【図４】
2015225239.tif 000006
【図５】
2015225239.tif 000007
【図６】
2015225239.tif 000008
【図７】
2015225239.tif 000009
【図８】
2015225239.tif 000010
【図９】
2015225239.tif 000011
【図１０】
2015225239.tif 000012
【図１１】
2015225239.tif 000013